(57)【要約】【課題】  有機ＥＬパネルの検査において、外光による測定電流への影響を低減すること。【解決手段】  有機ＥＬパネルの少なくとも発光面を覆い、発光面に対する外光の入射を遮断する遮光部材を備える構成とすることによって、発光面に外光が入射することにより発生する電流の影響を防ぎ、有機ＥＬパネルの検査において外光による測定電流への影響を低減する。有機ＥＬパネル遮光装置の一形態は、少なくとも有機ＥＬパネルの発光面を内部に収納可能とする筐体であり、その筐体の内壁面は光に対して低反射率とする。筐体内に有機ＥＬパネルを収納することで少なくとも発光面への外光の入射を防ぎ、外光による電流の発生を防ぐ。【選択図】図１
2006114308.tif 000002
【特許請求の範囲】
【請求項１】
有機ＥＬパネルの少なくとも発光面を覆い、当該発光面に対する外光の入射を遮断する遮光部材を備えることを特徴とする有機ＥＬパネル遮光装置。
【請求項２】
前記遮光部材は、少なくとも有機ＥＬパネルの発光面を内部に収納可能とし、低反射率の内壁面を備える筐体であることを特徴とする、請求項１に記載の有機ＥＬパネル遮光装置。
【請求項３】
前記遮光部材は、少なくとも有機ＥＬパネルの発光面を覆うに十分な大きさを備え、発光面と密着可能な平面状の遮光膜又は遮光板であることを特徴とする、請求項１に記載の有機ＥＬパネル遮光装置。
【請求項４】
前記請求項１乃至４の有機ＥＬパネル遮光装置を備え、当該有機ＥＬパネル遮光装置によって有機ＥＬパネルを遮光した状態で有機ＥＬパネルを駆動して有機ＥＬパネルの検査を行うことを特徴とする有機ＥＬパネル検査装置。
【発明の詳細な説明】
【技術分野】
【０００１】
本発明は、有機ＥＬディスプレイなどに用いられる有機ＥＬパネルを検査する有機ＥＬパネル検査装置、あるいは検査の際に用いられる有機ＥＬパネル遮光装置に関する。
【背景技術】
【０００２】
有機ＥＬディスプレイなどに用いられる有機ＥＬパネルを検査するには、検査信号をパネルに供給して所定動作で駆動し、パネルの点灯状態を目視やＣＣＤカメラ等の撮像装置による画像によって観察する方法が知られているが、評価者の個人差や同一人であっても評価基準が変動するなどにより評価結果にばらつきが生じるという問題が指摘されている。
【０００３】
このような課題に対して、例えば有機ＥＬディスプレイの画素に流れる電流を測定することで有機ＥＬディスプレイの評価を行う評価装置が提案されている（例えば、特許文献１）。
【特許文献１】特開２００２−４００７４号公報
【発明の開示】
【発明が解決しようとする課題】
【０００４】
有機ＥＬパネルの検査では、検査信号によって各ピクセルを駆動し、この駆動によって各ピクセルに流れる電流をピクセルの良否判定の指標として用いている。
【０００５】
この有機ＥＬパネルのピクセルには、検査信号による駆動によって電流が流れる他に、発光面に入射する光によっても電流が流れることがある。有機ＥＬパネルの検査において、有機ＥＬパネルの発光面に有機ＥＬパネルが発光する光以外の外光が入射すると、この外光によって電流が流れて測定電流に対してノイズとなるという問題がある。ここで、外光とは有機ＥＬパネル自身が発光する光以外の光であって、有機ＥＬパネル周囲の環境などから有機ＥＬパネルに入射する光を指している。
【０００６】
図１０は、有機ＥＬパネルのピクセルに流れる電流の一波形例である。有機ＥＬパネルの発光面に外光が入射すると、この外光によって測定電流のベースレベルが変化し（図１０（ａ）中のベース電流分Ａ）、測定値に誤差が生じることになる。なお、図１０（ｂ）は外光による影響がないと仮定した場合の測定電流を示している。
【０００７】
そこで、本発明は上記課題を解決し、有機ＥＬパネルの検査において、外光による測定電流への影響を低減することを目的とする。
【課題を解決するための手段】
【０００８】
上記目的を解決するために、本発明は、有機ＥＬパネルの少なくとも発光面を覆い、発光面に対する外光の入射を遮断する遮光部材を備える構成とすることによって、発光面に外光が入射することにより発生する電流の影響を防ぐことができ、有機ＥＬパネルの検査において外光による測定電流への影響を低減することができる。
【０００９】
本発明の有機ＥＬパネル遮光装置が備える遮光部材の第１の形態は、少なくとも有機ＥＬパネルの発光面を内部に収納可能とする筐体であって、その筐体の内壁面は光に対して低反射率とする。第１の形態の筐体によれば、筐体内に有機ＥＬパネルを収納することで少なくとも発光面への外光の入射を防ぐことができ、外光による電流の発生を防ぐことができる。
【００１０】
また、筐体内の内壁の反射率を低くすることで、仮に筐体内に外光が入射した場合であっても、その外光が内壁面で反射して発光面に入射する光量を低減させることができる。また、発光面で発光した光が内壁面で反射して発光面に再入射する光量を低減させることもできる。反射率は、内壁面を例えば黒色とすることで低下させることができる。
【００１１】
また、本発明の遮光部材の第２の形態は、少なくとも有機ＥＬパネルの発光面を覆うに十分な大きさを備えると共に、発光面と密着あるいは近接可能な平面状部材の構成であり、遮光膜又は遮光板とすることができる。
【００１２】
第２の形態の筐体によれば、平面状の遮光部材を有機ＥＬパネルの発光面に密着あるいは近接させることによって、発光面への外光の入射を防ぐことができ、外光による電流の発生を防ぐことができる。
【００１３】
平面状の遮光部材は、膜状遮光部材により遮光膜の構成とすることも、また、板状遮光部材により遮光板の構成とすることもできる。
【００１４】
また、平面状の遮光部材の発光面と対向する内面の反射率を低くすることで、仮に発光面と遮光部材とが対向する隙間に外光が入射したとしても、その外光が内面で反射して発光面に入射する光量を低減させることができる。また、発光面で発光した光が内面で反射して発光面に再入射する光量を低減させることもできる。反射率は、内面を例えば黒色とすることで低下させることができる。
【００１５】
なお、上記第１、第２の形態において、反射率を低下させる構成として、内壁面や内面は黒色に限らず他の色であってもよい。
【００１６】
また、本発明の第１、第２の形態において、内壁面や内面の反射率を一定とする構成としてもよい。この反射率を一定とする構成とすることによって、有機ＥＬパネルの各ピクセルに対して入射する光を均一化し、各ピクセルに発生するノイズ分をほぼ同様のレベルとすることができ、測定電流からノイズレベルを差し引くことで外光による影響を低減することができる。
【００１７】
また、有機ＥＬパネル検査装置において、上記した本発明の有機ＥＬパネル遮光装置を備える構成とすることができ、有機ＥＬパネル遮光装置によって有機ＥＬパネルを遮光した状態で有機ＥＬパネルを駆動して有機ＥＬパネルの検査を行うことができる。
【発明の効果】
【００１８】
本発明の有機ＥＬパネル遮光装置によれば、有機ＥＬパネルの検査において外光による測定電流への影響を低減することができる。
【発明を実施するための最良の形態】
【００１９】
以下、本発明の実施の形態について図を参照しながら詳細に説明する。
【００２０】
図１は本発明の有機ＥＬパネル遮光装置の概略を説明するための図である。図１において、有機ＥＬパネル遮光装置２は、有機ＥＬパネル１の少なくとも発光面１ａを覆い、発光面１ａに外光が入射しないように遮断する遮光部材である。有機ＥＬパネル遮光装置２は、有機ＥＬパネル１の発光面１ａに外光が入射することを防ぐため、有機ＥＬパネル１を検査信号で駆動した際に、各ピクセルから得られる測定電流中に外光によって発生する電流が加わることを防ぐことができる。
【００２１】
有機ＥＬパネル遮光装置２は、有機ＥＬパネル１に対して取り付け及び取り外しが自在であり、有機ＥＬパネルの検査時に有機ＥＬパネル１に取り付けることで、効果を奏することができる。また、有機ＥＬパネルの検査が完了した後は、有機ＥＬパネル１から取り外すことができる。
【００２２】
以下、図２〜図９を用いて本発明の有機ＥＬパネル遮光装置の形態について説明する。なお、図２，３は本発明の有機ＥＬパネル遮光装置の第１の形態による第１の構成例を示し、図４，５は本発明の第１の形態による第２の構成例を示し、図６，７は本発明の第１の形態による第３の構成例を示し、また、図８，９は本発明の有機ＥＬパネル遮光装置の第２の形態による構成例を示している。
【００２３】
はじめに、本発明の有機ＥＬパネル遮光装置の第１の形態について説明する。第１の形態は、少なくとも有機ＥＬパネルの発光面を内部に収納可能とする筐体である。筐体は、その内壁面を黒く形成することなどによって光に対する反射率を低くし、発光面への外光に入射を低く抑える。
【００２４】
第１の形態では、有機ＥＬパネルの構成に応じて複数の構成とすることができる。第１の形態の第１の構成例について図２，３を用いて説明する。なお、図２は斜視図であり、図３は平面図（図３（ａ））及び側面図（図３（ｂ））である。
【００２５】
ここで、有機ＥＬパネル１はフレキシブルケーブル５を介して有機ＥＬドライブ回路基板４側のコネクタ６と接続し、有機ＥＬドライブ回路基板４から検査信号の供給を受けることによって駆動する。有機ＥＬパネル遮光装置の第１の構成例は、上記の有機ＥＬパネル構成に適用する例である。
【００２６】
なお、有機ＥＬドライブ回路基板４は、有機ＥＬパネル１を検査するための検査信号を生成する回路、当該回路を駆動するための電源等有機ＥＬパネルを駆動するための回路構成を備えている。
【００２７】
有機ＥＬパネル遮光装置２は開口部２ａを備える筐体により形成され、内部に有機ＥＬパネル１を収納可能な大きさの内壁部２ｂで周囲が覆われている。内壁部２ｂは反射率が低くなるように黒く施されている。なお、内壁部２ｂは黒に限られるものではなく、低反射率であれば任意とすることができる。
【００２８】
有機ＥＬパネル遮光装置２を有機ＥＬパネル１に取り付けるには、有機ＥＬパネル遮光装置２の開口部２ａを通して有機ＥＬパネル１を有機ＥＬパネル遮光装置２の内部に収納する。有機ＥＬパネル遮光装置２の側壁部分には開口部２ｃが設けられ、フレキシブルケーブル５の有機ＥＬパネル遮光装置２の外への取り出しを行うことができる。
【００２９】
有機ＥＬパネル１は有機ＥＬパネル遮光装置２の内部に収納されることで、少なくとも発光面１ａは有機ＥＬパネル遮光装置２の内壁面２ｂで囲まれるため、外光の入射は阻止される。
【００３０】
また、有機ＥＬパネル遮光装置２の開口部の側部側からの外光の入射は、有機ＥＬパネル遮光装置２の底面の形状を有機ＥＬパネル１と同形とし、その大きさを有機ＥＬパネル１よりわずかに大きくすることで低減させることができる他、有機ＥＬパネル１ａを支持する支持面（図示していない）に有機ＥＬパネル遮光装置２の開口部２ａを密着させることで低減させることができる。
【００３１】
有機ＥＬパネル遮光装置２の有機ＥＬパネル１への取り付け及び取り外しを行う機構は任意の構成とすることができ、有機ＥＬパネル検査装置に設ける場合には、検査装置への有機ＥＬパネル１の配置機構と連動させた構成とすることもできる。また、人手によって行っても良い。
【００３２】
図２（ａ）は有機ＥＬパネル遮光装置２を有機ＥＬパネル１に取り付ける前の状態を示し、図２（ｂ）は有機ＥＬパネル遮光装置２を有機ＥＬパネル１に取り付けた状態を示している。
【００３３】
次に、第１の形態の第２の構成例について図４，５を用いて説明する。なお、図４は斜視図であり、図５は平面図（図５（ａ））及び側面図（図５（ｂ））である。
【００３４】
ここで、有機ＥＬパネル１はフレキシブルケーブル５を備えない構成であり、プローバ８によって検査信号の供給を受けると共に測定電流の取り出しを行うものである。有機ＥＬパネル１とプローバ８との間はプローバピン１０によって行われる。このプローバピン１０と外部接続用のコネクタ９との間はプローバ８内の配線によって行われる。プローバ８側のコネクタ９と有機ＥＬドライブ回路基板４側のコネクタ６との間はケーブルによって接続される。
【００３５】
有機ＥＬパネル１は、ケーブル７乃至プローバピン１０を介して有機ＥＬドライブ回路基板４から検査信号の供給を受け、測定信号を図示しない測定回路に送り出す。
【００３６】
第２の構成例の有機ＥＬパネル遮光装置２は、上記の有機ＥＬパネル構成に適用する例である。
【００３７】
なお、有機ＥＬドライブ回路基板４は、前記した第１の構成例と同様に、有機ＥＬパネル１を検査するための検査信号を生成する回路、当該回路を駆動するための電源等有機ＥＬパネルを駆動するための回路構成を備えている。
【００３８】
有機ＥＬパネル遮光装置２は、第１の構成例と同様に、開口部２ａを備える筐体により形成され、内部に有機ＥＬパネル１を収納可能な大きさの内壁部２ｂで周囲が覆われている。内壁部２ｂは反射率が低くなるように黒く施されている。なお、内壁部２ｂは黒に限られるものではなく、低反射率であれば任意とすることができる。
【００３９】
有機ＥＬパネル遮光装置２を有機ＥＬパネル１に取り付けるには、有機ＥＬパネル遮光装置２の開口部２ａの縁部分を有機ＥＬパネル１を支持するプローバ８の支持面に当接させ、有機ＥＬパネル遮光装置２の開口部２ａを通して有機ＥＬパネル１を有機ＥＬパネル遮光装置２の内部に収納する。
【００４０】
この第２の構成例では、ケーブル７はプローバ８のコネクタ９に接続される構成であるため、前記した第１の構成例のように、有機ＥＬパネル遮光装置２の側壁部分にケーブル７を取り出すための開口部は不要である。
【００４１】
有機ＥＬパネル１は有機ＥＬパネル遮光装置２の内部に収納されることで、少なくとも発光面１ａは有機ＥＬパネル遮光装置２の内壁面２ｂで囲まれるため、外光の入射は阻止される。
【００４２】
また、有機ＥＬパネル遮光装置２の開口部の側部側からの外光の入射は、有機ＥＬパネル遮光装置２の開口部２ａの縁部分をプローバ８の支持面に当接させることで低減させることができる。
【００４３】
また、第１の構成例と同様に、有機ＥＬパネル遮光装置２の有機ＥＬパネル１への取り付け及び取り外しを行う機構は任意の構成とすることができ、有機ＥＬパネル検査装置に設ける場合には、検査装置への有機ＥＬパネル１の配置機構と連動させた構成とすることもできる。また、人手によって行っても良い。
【００４４】
図４（ａ）は有機ＥＬパネル遮光装置２を有機ＥＬパネル１に取り付ける前の状態を示し、図４（ｂ）は有機ＥＬパネル遮光装置２を有機ＥＬパネル１に取り付けた状態を示している。
【００４５】
次に、第１の形態の第３の構成例について図６，７を用いて説明する。なお、図６は斜視図であり、図７は平面図（図７（ａ））及び側面図（図７（ｂ））である。
【００４６】
ここで、有機ＥＬパネル１は有機ＥＬドライブ回路基板４上に実装した構成であり、有機ＥＬドライブ回路基板４上に形成した配線を介して検査信号の供給を受けると共に測定電流の取り出しを行うものである。有機ＥＬパネル１とドライブ回路基板４との間はピン１１によって行われる。
【００４７】
有機ＥＬパネル１は、ピン１１を介して有機ＥＬドライブ回路基板４から検査信号の供給を受け、測定信号を図示しない測定回路に送り出す。
【００４８】
第３の構成例の有機ＥＬパネル遮光装置２は、上記の有機ＥＬパネル構成に適用する例である。
【００４９】
なお、有機ＥＬドライブ回路基板４は、前記した第１，２の構成例と同様に、有機ＥＬパネル１を検査するための検査信号を生成する回路、当該回路を駆動するための電源等有機ＥＬパネルを駆動するための回路構成を備えている。
【００５０】
有機ＥＬパネル遮光装置２は、第１，２の構成例と同様に、開口部２ａを備える筐体により形成され、内部に有機ＥＬパネル１を収納可能な大きさの内壁部２ｂで周囲が覆われている。内壁部２ｂは反射率が低くなるように黒く施されている。なお、内壁部２ｂは黒に限られるものではなく、低反射率であれば任意とすることができる。
【００５１】
有機ＥＬパネル遮光装置２を有機ＥＬパネル１に取り付けるには、有機ＥＬパネル遮光装置２の開口部２ａの縁部分を有機ＥＬパネル１が実装された有機ＥＬドライブ回路基板４の面に当接させ、有機ＥＬパネル遮光装置２の開口部２ａを通して有機ＥＬパネル１を有機ＥＬパネル遮光装置２の内部に収納する。
【００５２】
この第３の構成例では、有機ＥＬパネル２が有機ＥＬドライブ回路基板４に実装された構成であるため、前記した第１の構成例のように、有機ＥＬパネル遮光装置２の側壁部分にケーブル７を取り出すための開口部は不要である。
【００５３】
有機ＥＬパネル１は有機ＥＬパネル遮光装置２の内部に収納されることで、少なくとも発光面１ａは有機ＥＬパネル遮光装置２の内壁面２ｂで囲まれるため、外光の入射は阻止される。
【００５４】
また、有機ＥＬパネル遮光装置２の開口部の側部側からの外光の入射は、有機ＥＬパネル遮光装置２の開口部２ａの縁部分を有機ＥＬドライブ回路基板４の面に当接させることで低減させることができる。
【００５５】
また、第１，２の構成例と同様に、有機ＥＬパネル遮光装置２の有機ＥＬパネル１への取り付け及び取り外しを行う機構は任意の構成とすることができ、有機ＥＬパネル検査装置に設ける場合には、検査装置への有機ＥＬパネル１の配置機構と連動させた構成とすることもできる。また、人手によって行っても良い。
【００５６】
図６（ａ）は有機ＥＬパネル遮光装置２を有機ＥＬパネル１に取り付ける前の状態を示し、図６（ｂ）は有機ＥＬパネル遮光装置２を有機ＥＬパネル１に取り付けた状態を示している。
【００５７】
次に、本発明の有機ＥＬパネル遮光装置の第２の形態について説明する。第２の形態は、有機ＥＬパネルの発光面に平面状の部材を密着あるいは近接させることによって、発光面への外光の入射を防いで、外光による電流の発生を防ぐものである。
【００５８】
第２の形態の構成例について図８，９を用いて説明する。なお、図８は斜視図であり、図９は平面図（図９（ａ））及び側面図（図９（ｂ））である。
【００５９】
ここで、有機ＥＬパネル１はフレキシブルケーブル５を介して有機ＥＬドライブ回路基板４側のコネクタ６と接続し、有機ＥＬドライブ回路基板４から検査信号の供給を受けることによって駆動する。有機ＥＬパネル遮光装置の第１の構成例は、上記の有機ＥＬパネル構成に適用する例である。
【００６０】
なお、有機ＥＬドライブ回路基板４は、有機ＥＬパネル１を検査するための検査信号を生成する回路、当該回路を駆動するための電源等有機ＥＬパネルを駆動するための回路構成を備えている。
【００６１】
有機ＥＬパネル遮光装置３は平面状の遮光部材とし、膜状遮光部材を用いて遮光膜の構成とすることも、また、板状遮光部材を用いて遮光板の構成とすることもできる。有機ＥＬパネル遮光装置３は、少なくとも有機ＥＬパネルの発光面を覆うに十分な大きさを備えた発光面と密着あるいは近接可能な平面状部材の構成とする。
【００６２】
平面状の遮光部材の発光面と対向する内面の反射率を低くすることで、仮に発光面と遮光部材とが対向する隙間に外光が入射したとしても、その外光が内面で反射して発光面に入射する光量を低減させることができる。また、発光面で発光した光が内面で反射して発光面に再入射する光量を低減させることもできる。反射率は、内面を例えば黒色とすることで低下させることができる。なお、内面は黒に限られるものではなく、低反射率であれば任意とすることができる。
【００６３】
有機ＥＬパネル遮光装置３を有機ＥＬパネル１に取り付けるには、有機ＥＬパネル遮光装置３の内面３ａを有機ＥＬパネル１の発光面１ａに密着あるいは近接させる。
【００６４】
有機ＥＬパネル１の発光面１ａは有機ＥＬパネル遮光装置３の内面３ａと密着あるいは近接されることで、外光の入射は低減される。
【００６５】
また、有機ＥＬパネル遮光装置３の内面３ａと有機ＥＬパネル１の発光面１ａとの隙間からの外光の入射は、間隔を短くすることで低減させることができる他、有機ＥＬパネル遮光装置３の平面部材の外周部分を有機ＥＬパネル側に折り曲げた構成とし、凹部内に有機ＥＬパネル１の発光面１ａを納めることで低減させてもよい。
【００６６】
有機ＥＬパネル遮光装置３の有機ＥＬパネル１への取り付け及び取り外しを行う機構は任意の構成とすることができ、有機ＥＬパネル検査装置に設ける場合には、検査装置への有機ＥＬパネル１の配置機構と連動させた構成とすることもできる。また、人手によって行っても良い。
【００６７】
図８（ａ）は有機ＥＬパネル遮光装置３を有機ＥＬパネル１に取り付ける前の状態を示し、図８（ｂ）は有機ＥＬパネル遮光装置３を有機ＥＬパネル１に取り付けた状態を示している。
【００６８】
上記した有機ＥＬパネル遮光装置によって、有機ＥＬパネルの発光面に対して外光の入射を防ぐことで、外光による電流発生を防ぐことができる。図１０（ｂ）は外光による電流発生を防いだ状態での有機ＥＬパネルのピクセルに流れる電流の一波形例であり、図１０（ａ）のベース電流分Ａを除いた電流を得ることができる。
【図面の簡単な説明】
【００６９】
【図１】本発明の有機ＥＬパネル遮光装置の概略を説明するための図である。
【図２】本発明の第１の形態の第１の構成例を説明するための斜視図である。
【図３】本発明の第１の形態の第１の構成例を説明するための平面図及び側面図である。
【図４】本発明の第１の形態の第２の構成例を説明するための斜視図である。
【図５】本発明の第１の形態の第２の構成例を説明するための平面図及び側面図である。
【図６】本発明の第１の形態の第３の構成例を説明するための斜視図である。
【図７】本発明の第１の形態の第３の構成例を説明するための平面図及び側面図である。
【図８】本発明の第２の形態の構成例を説明するための斜視図である。
【図９】本発明の第２の形態の構成例を説明するための平面図及び側面図である。
【図１０】有機ＥＬパネルのピクセルに流れる電流の一波形例を示す図である。
【符号の説明】
【００７０】
１…有機ＥＬパネル、１ａ…発光面、２…有機ＥＬパネル遮光装置、２ａ…開口部、２ｂ…内壁部、２ｃ…開口部、３…有機ＥＬパネル遮光装置、３ａ…内面、４…有機ＥＬドライブ回路基板、５…フレキシブルケーブル、６…コネクタ、７…ケーブル、８…プローバ、９…コネクタ、１０…プローブピン、１１…ピン。
【図１】
2006114308.tif 000003
【図２】
2006114308.tif 000004
【図３】
2006114308.tif 000005
【図４】
2006114308.tif 000006
【図５】
2006114308.tif 000007
【図６】
2006114308.tif 000008
【図７】
2006114308.tif 000009
【図８】
2006114308.tif 000010
【図９】
2006114308.tif 000011
【図１０】
2006114308.tif 000012